(57)【要約】【課題】  異形粒状物分離装置の通路の目詰まりの原因となる異形粒状物の停留を防止し、安定して確実に異形粒状物を正規の粒状物から確実に分離できる異形粒状物分離装置を提供する。【解決手段】  被分離粒状物を分離部へ供給する粒状物供給部と、同一方向に傾斜した複数の傾斜板がカスケード状に配置された分離部と、同分離部に振動を与える振動機とを備え、前記分離部の振動によって、定められた形状、大きさ、及び密度を有する正規の粒状物と、それよりも長く大きい異形の粒状物とを、前記傾斜板上で双方の粒状物を反対方向に移動させて分離する異形粒状物分離装置において、前記傾斜板上に設けられる複数個の縦溝の２つの側壁面が鋭角に交わり、かつその鋭角の２等分線が垂直にならないようにすることによる。【選択図】  図３
2007083215.tif 000002
【特許請求の範囲】
【請求項１】
被分離粒状物を分離部２へ供給する粒状物供給部１２と、同一方向に傾斜した複数の傾斜板１０がカスケード状に配置された分離部２と、同分離部２に振動を与える振動機３とを備え、前記分離部２の振動によって、定められた形状、大きさ、及び密度を有する正規の粒状物と、それよりも長く大きい異形の粒状物とを、前記傾斜板１０上で双方の粒状物を反対方向に移動させて分離する異形粒状物分離装置１において、
前記傾斜板１０上に設けられる複数個の縦溝１０ａが、その２つの側壁面が鋭角に交わり、かつその鋭角の２等分線が垂直にならないように形成されてなることを特徴とする異形粒状物分離装置。
【請求項２】
被分離粒状物を分離部２へ供給する粒状物供給部１２と、同一方向に傾斜した複数の傾斜板１０がカスケード状に配置された分離部２と、同分離部２に振動を与える振動機３と、前記分離部２に前記振動機３の振動を伝達する振動台４とが４個のコイルバネ５を介して基礎枠７上に配置され、前記分離部２の振動によって、定められた形状、大きさ、及び密度を有する正規の粒状物と、それよりも長く大きい異形の粒状物とを、前記傾斜板１０上で双方の粒状物を反対方向に移動させて分離する異形粒状物分離装置１において、
前記傾斜板１０上に設けられる複数個の縦溝１０ａが、その２つの側壁面が鋭角に交わり、かつその鋭角の２等分線が垂直にならないように形成されてなることを特徴とする異形粒状物分離装置。
【請求項３】
前記縦溝１０ａの一方の側壁面が、垂直面若しくは８０度以上の急傾斜面で構成されていることを特徴とする請求項１又は２に記載の異形粒状物分離装置。
【請求項４】
前記縦溝１０ａを構成する２つの側壁面の交わる角度が、４５〜６０度であることを特徴とする請求項１〜３のいずれか１項に記載の異形粒状物分離装置。
【請求項５】
２つの側壁面の交わる部分が、曲面であることを特徴とする請求項１〜４のいずれか１項に記載の異形粒状物分離装置。
【発明の詳細な説明】
【技術分野】
【０００１】
本発明は、定められた形状、大きさ、及び密度を有する正規の粒状物に混在する、前記正規の粒状物よりも長く大きい異形の粒状物を、正規の粒状物から選別・分離する異形粒状物分離装置に関する。
【背景技術】
【０００２】
熱可塑性樹脂粒状物などの粒状物の製造時においては、定められた形状、大きさ、及び密度を有する正規の粒状物に混じって、正規の粒状物が複数個数珠状に繋がったものや所定寸法に切断されず所定の長さより長い棒状をしたものなど異形の粒状物が存在するおそれなしとはし得ない。そこで正規の粒状物よりも長く大きい異形の粒状物を、正規の粒状物から選別し分離する工程が欠かせないことになる。
この異形の粒状物を正規の粒状物から選別し分離する異形粒状物分離装置１としては、図１及び図２に示すような、同一方向に傾斜した複数の傾斜板１０がカスケード状（滝状）に配設された分離部２と、同分離部に振動を与える振動機３と、前記分離部２に前記振動機の振動を伝達する振動台４とが４個のコイルバネ５を介して基礎枠７上に配置され、かつ前記分離部２に被選別粒状物を供給する粒状物供給部１２とを備え、前記傾斜板１０を振動機３で振動させることによって、正規の粒状物と、それよりも長く大きい異形の粒状物とを分離するもの（特公昭６３−４７５１３号公報参照）が広く用いられている。
この異形粒状物の分離装置は、正規の粒状物と異形の粒状物との傾斜板１０に対する接触抵抗（転がり摩擦）の違いを利用して分離させるものであって、接触抵抗の小さい正規の粒状物は、傾斜板１０の傾斜角度と傾斜板１０の振動とによって前記傾斜板１０の勾配に沿って下方に転がり落ち、正規の粒状物よりも長くて大きいため接触抵抗が大きい異形の粒状物は、その接触抵抗のため傾斜板１０の勾配を転がり落ちることができず、傾斜板１０が振動していることによって傾斜板１０の勾配に沿って上昇するという作用原理を活用したものである。
そしてこの分離装置では、前記異形の粒状物の傾斜板１０に対する接触抵抗（転がり摩擦）をより大きくしてその効果を高めるため、図５に示すように、異形の粒状物の長軸を傾斜板１０’の勾配に沿って整列させられるよう、複数のＵ字状の縦溝１０’ａが設けられ、また、前記特公昭６３−４７５１３号公報に開示の分離器では複数の分離板によって分離された複数の通路が設けられているている。
なお、正規の粒状物の形状、大きさ、及び密度によって傾斜板１０に対する接触抵抗が異なるので、傾斜板１０の角度を微調整できるよう、振動台４の後部を上下させるジャッキ６が設けられており、また、振動機３の振動数や振幅延び調整も可能になっている。
【特許文献１】特公昭６３−４７５１３号公報
【発明の開示】
【発明が解決しようとする課題】
【０００３】
上記背景技術に記載した異形粒状物分離装置の振動板１０’に設けられた複数の通路が、Ｕ字状の縦溝１０’ａ、あるいは複数の分離板で区分されたものであり、通路の側壁面が左右対称形をなすことから、図６（ａ）に示すように、正規の粒状物が複数個（図では３個）数珠状に繋がった異形の粒状物２０が前記通路の両側壁面に接触した状態になると、異形粒状物２０の両端に加わる振動の加速度が同一となり摩擦力が左右均等に働くので、前記数珠状に繋がった異形の粒状物２０は、図６（ｂ）に示すように、通路中間に挟まって停留し、図６（ｃ）のように、通路に目詰まりを生じて正規の粒状物の分離まで妨げるという問題があった。
本発明は、上記問題に鑑み、異形粒状物分離装置の通路の目詰まりの原因となる異形粒状物の停留を防止し、異形粒状物２０を正規の粒状物から安定・確実に分離できる異形粒状物分離装置を提供するものである。
【課題を解決するための手段】
【０００４】
本発明者は上記課題を下記の手段で解決した。
（１）  被分離粒状物を分離部２へ供給する粒状物供給部１２と、同一方向に傾斜した複数の傾斜板１０がカスケード状に配置された分離部２と、同分離部２に振動を与える振動機３とを備え、前記分離部２の振動によって、定められた形状、大きさ、及び密度を有する正規の粒状物と、それよりも長く大きい異形の粒状物とを、前記傾斜板１０上で双方の粒状物を反対方向に移動させて分離する異形粒状物分離装置１において、
前記傾斜板１０上に設けられる複数個の縦溝１０ａが、その２つの側壁面が鋭角に交わり、かつその鋭角の２等分線が垂直にならないように形成されてなることを特徴とする異形粒状物分離装置。
【０００５】
（２）被分離粒状物を分離部２へ供給する粒状物供給部１２と、同一方向に傾斜した複数の傾斜板１０がカスケード状に配置された分離部２と、同分離部２に振動を与える振動機３と、前記分離部２に前記振動機３の振動を伝達する振動台４とが４個のコイルバネ５を介して基礎枠７上に配置され、前記分離部２の振動によって、定められた形状、大きさ、及び密度を有する正規の粒状物と、それよりも長く大きい異形の粒状物とを、前記傾斜板１０上で双方の粒状物を反対方向に移動させて分離する異形粒状物分離装置１において、
前記傾斜板１０上に設けられる複数個の縦溝１０ａが、その２つの側壁面が鋭角に交わり、かつその鋭角の２等分線が垂直にならないように形成されてなることを特徴とする異形粒状物分離装置。
【０００６】
（３）前記縦溝の一方の側壁面が、垂直面若しくは８０度以上の急傾斜面で構成されていることを特徴とする前項（１）又は（２）に記載の異形粒状物分離装置。
（４）前記縦溝を構成する２つの側壁面の交わる角度（交角）が、４５〜６０度であることを特徴とする前項（１）〜（３）のいずれか１項に記載の異形粒状物分離装置。
（５）２つの側壁面の交わる部分が、曲面であることを特徴とする前項（１）〜（４）のいずれか１項に記載の異形粒状物分離装置。
【発明の効果】
【０００７】
本発明によって下記のような効果が発揮できる。
（ア）傾斜板上の異形粒状物の長さ方向を移動方向に沿わせて整列するようしむけるために設けられる複数個の縦溝が、その２つの側壁面が鋭角に交わり、かつその鋭角の２等分線が垂直にならないように構成されているので、正規の粒状物よりも長く大きい異形の粒状物では、その両端面が側壁面から受ける摩擦力に差異が生じるため、前記異形粒状物の摩擦力の小さい側の端部が縦水底部に落下した後、縦溝に沿って整列し、目詰まりを生じることなく振動方向に振動板の勾配に沿って上昇し、確実に分離される。
（イ）上記効果により粒状物の目詰まりがなくなるので、目詰まりを除去するために運転を止める必要がなく、連続運転が可能になり、生産性の向上が図れる。
【発明を実施するための最良の形態】
【０００８】
本発明の粒状物の分離装置を実施するための最良の形態を、実施例の図に基づいて説明する。
図１は異形粒状物分離装置の外観斜視図、図２は異形粒状物分離装置の側断面の概要図、図３は本発明異形粒状物分離装置のカスケード状に配置された傾斜板の部分斜視図、図４は本発明の傾斜板の作用の説明図である。
図において１は異形粒状物分離装置、２は分離部、３は振動機、４は振動台、５はコイルバネ、６はジャッキ、７は基礎枠、８は正規の粒状物の取り出し口、９は異形粒状物の取り出し口、１０は傾斜板、１０ａは縦溝、１１は飛散防止用垂れ幕、１２は粒状物供給部である。
【０００９】
本発明の異形粒状物分離装置１は、図１及び図２に示すように  同一方向に傾斜した複数の傾斜板１０がカスケード状（滝状）に配置された分離部２と、同分離部２に振動を与える振動機３と、前記分離部２に前記振動機３の振動を伝達する振動台４とが、４個のコイルバネ５を介して基礎枠７上に設置され、かつ前記異形粒状物分離装置１の後方は、装置後方に配設された２個のコイルバネ５とともにジャッキ６によって上下可能に構成され、さらに前記分離部２の上部にはカスケード状に配置された傾斜板１０の最上部に被分離粒状物を分離部に供給するための粒状物供給部１２を備えている。
そして、前記傾斜板１０は、図３に示すように、異形の粒状物の長さ方向を移動方向に整列させられるように設けられる複数個の縦溝１０ａの側壁面が鋭角で交わり、かつその鋭角の２等分線が垂直にならないように形成されている。
なお、前記縦溝の一方の側壁面が、垂直面若しくは８０度以上の急傾斜面で構成されることが好ましく、また前記縦溝の２つの側壁面の交わる角度（交角）が、４５〜６０度であること、及び前記２つの側壁面の交わる部分が、曲面であることも好ましい。
【００１０】
本発明の異形粒状物分離装置１が、正規の粒状物と異形の粒状物との傾斜板１０に対する接触抵抗（転がり摩擦）の違いを利用して分離させるものであって、接触抵抗の小さい正規の粒状物は、傾斜板１０の傾斜角度と傾斜板１０の振動とによって前記傾斜板１０の勾配に沿って下方に転がり落ち、正規の粒状物よりも長くて大きいため接触抵抗が大きい異形の粒状物は、その接触抵抗のため傾斜板１０の勾配を転がり落ちることができず、傾斜板１０が振動していることによって傾斜板１０の勾配に沿って上昇するという作用原理を活用したものであるのは従来の分離装置と同様であるが、前記異形の粒状物の傾斜板１０に対する接触抵抗（転がり摩擦）をより大きくしてその効果を高めるため、異形の粒状物の長軸を傾斜板１０の勾配に沿って整列させる縦溝１０ａの断面構造を、前述のように２つの側壁面が鋭角で交わり、かつその鋭角の２等分線が垂直にならないようにしたことによって、図４（ａ）に示すように、前記縦溝１０ａに流入した数珠状に繋がった異形粒状物２０の両端と縦溝１０ａの側壁面間の摩擦力は、垂直若しくは急峻な傾斜を持つ側壁面側の方が緩やかな傾斜を持つ側壁面側より小さくなるため、図４（ｂ）に示すように、異形粒状物２０は垂直若しくは急峻な傾斜を持つ側壁側を縦溝１０ａの底部に落として緩やかな傾斜を持つ側壁面に整列した後、図４（ｃ）に示すように傾斜板１０の縦溝１０ａに沿って整列し、傾斜板１０の振動によって、傾斜板１０勾配に沿って上昇してゆく。したがって、縦溝１０ａの中間に異形粒状物２０が停滞することがなく、目詰まりの発生が無くなり、正規の粒状物と異形粒状物との分離が、安定して確実に行えることとなる。
なお、以上は正規の粒状物が複数個数珠状に繋がった異形粒状物を例に説明したが、所定寸法に切断されず所定の長さより長い棒状をした異形粒状物など、正規の粒状物より長く大きい異形粒状物においても同様の作用が得られる。
このようにして傾斜板１０の勾配に沿って落下した正規の粒状物は、正規粒状物取り出し口から、傾斜板１０の勾配に沿って上昇した異形粒状物は、異形粒状物取り出し口から排出され、分離される。
【図面の簡単な説明】
【００１１】
【図１】異形粒状物分離装置の外観斜視図
【図２】異形粒状物分離装置の側断面の概要図
【図３】本発明異形粒状物分離装置のカスケード状配置の傾斜板の部分斜視図
【図４】本発明の傾斜板の作用説明図
【図５】従来の異形粒状物分離装置のカスケード状配置の傾斜板の部分斜視図
【図６】従来の傾斜板の作用説明図
【符号の説明】
【００１２】
１：異形粒状物分離装置
２：分離部
３：振動機
４：振動台
５：コイルバネ
６：ジャッキ
７：基礎枠
８：正規の粒状物の取り出し口
９：異形粒状物の取り出し口
１０、１０’：傾斜板
１０ａ、１０’ａ：縦溝
１１：飛散防止用垂れ幕
１２：粒状物供給部
２０：異形粒状物
【図１】
2007083215.tif 000003
【図２】
2007083215.tif 000004
【図３】
2007083215.tif 000005
【図４】
2007083215.tif 000006
【図５】
2007083215.tif 000007
【図６】
2007083215.tif 000008